(57)【要約】  空調機の試運転操作をモバイル端末で行うことを可能とし、コスト低減を図った空調機試運転アプリケーションを提供することを目的とする。このため、モバイル端末により実行される空調機試運転アプリケーションにおいて、前記モバイル端末の操作部に対して所定の操作がされることにより、前記モバイル端末の制御部は、空調システムを構成する室外機及び室内機のうち、試運転を行う所定の一群に属するものの型式情報を表示しない状態で他方の一群の型式情報を前記モバイル端末の表示部に表示させ、前記モバイル端末の操作部で表示切替操作が行われることにより、前記モバイル端末の制御部は、表示されていなかった前記他方の一群の型式情報を前記モバイル端末の前記表示部に表示させ、表示されていた前記一方の一群の型式情報を表示しない状態とする。
2015111203.tif 000002
【特許請求の範囲】
【請求項１】
モバイル端末により実行される空調機試運転アプリケーションにおいて、
前記モバイル端末の操作部に対して所定の操作がされることにより、前記モバイル端末の制御部は、空調システムを構成する室外機及び室内機のうち、試運転を行う所定の一群に属するものの型式情報を表示しない状態で他方の一群の型式情報を前記モバイル端末の表示部に表示させ、
前記モバイル端末の操作部で表示切替操作が行われることにより、前記モバイル端末の制御部は、表示されていなかった前記他方の一群の型式情報を前記モバイル端末の前記表示部に表示させ、表示されていた前記一方の一群の型式情報を表示しない状態とすることを特徴とする空調機試運転アプリケーション。
【請求項２】
請求項１に記載の空調機試運転アプリケーションにおいて、
前記モバイル端末の操作部に対して現在状態取得操作がされることにより、前記モバイル端末の制御部は、前記空調システムに接続される空調機に関する現在状態情報を受信し、
前記モバイル端末の操作部に対して所定の操作がされることにより、前記モバイル端末制御部は、受信した前記現在状態情報を表示するように表示部を制御することを特徴とする空調機試運転アプリケーション。
【請求項３】
請求項１又は２に記載の空調機試運転アプリケーションにおいて、
前記モバイル端末の操作部に対して前記空調システムの接続情報アップロード操作が行われることにより、前記モバイル端末の制御部は、前記モバイル端末とインターネットを介して接続される管理サーバに対して、前記空調システムの接続情報信号を送信し、
該接続情報信号を受信した前記管理サーバの管理サーバ制御部は、受信した接続情報を記憶部に記憶することを特徴とする空調機試運転アプリケーション。
【請求項４】
モバイル端末により実行される空調機試運転アプリケーションにおいて、
前記モバイル端末の操作部に対して所定の操作がされることにより、前記モバイル端末の制御部は、試運転が可能な空調機の冷媒系統情報、及びアドレス情報を管理サーバにアクセスすることにより取得する、あるいは記憶部に記憶されたこれらの情報を読み出すことにより取得し、該情報を前記モバイル端末の表示部に表示するように制御し、
前記モバイル端末の操作部に対してそれぞれの空調機についての試運転開始時刻設定操作が行われることにより、前記モバイル端末制御部は、前記試運転開始時刻設定操作により設定されたそれぞれの空調機の試運転開始時刻を表示するように前記表示部を制御することを特徴とする空調機試運転アプリケーション。
【請求項５】
請求項４に記載の空調機試運転アプリケーションにおいて、
前記モバイル端末の操作部に対してそれぞれの空調機についての試運転終了時刻設定操作が行われることにより、前記モバイル端末制御部は、前記試運転終了時刻設定操作により設定されたそれぞれの空調機の試運転終了時刻を表示するように前記表示部を制御することを特徴とする空調機試運転アプリケーション。
【請求項６】
請求項４又は５に記載の空調機試運転アプリケーションにおいて、
前記モバイル端末の操作部に対してそれぞれの空調機についての試運転モード設定操作が行われることにより、前記モバイル端末制御部は、前記試運転モード設定操作により設定されたそれぞれの空調機の試運転モードを表示するように前記表示部を制御することを特徴とする空調機試運転アプリケーション。
【請求項７】
モバイル端末により実行される空調機試運転アプリケーションにおいて、
試運転を行う空調機の異常判定を行う制御部により、判定対象の空調機の冷凍サイクルに関連する物理監視量が所定の条件となって試運転が正常に完了したと判断した場合において、前記モバイル端末の操作部に対して所定の操作がされることにより、前記モバイル端末の制御部は試運転正常完了の信号を受信することで当該空調機の試運転が正常に完了したことを表示するように前記モバイル端末の表示部を制御することを特徴とする空調機試運転アプリケーション。
【請求項８】
請求項７に記載の空調機試運転アプリケーションにおいて、
試運転を行う空調機の異常判定を行う前記制御部により、判定対象の空調機の冷凍サイクルに関連する物理監視量が所定の条件となって試運転に異常が生じたと判断した場合において、前記モバイル端末の操作部に対して所定の操作がされることにより、前記モバイル端末の制御部は試運転異常の信号を受信することで当該空調機の試運転に異常が生じたしたことを表示するように前記モバイル端末の表示部を制御することを特徴とする空調機試運転アプリケーション。
【請求項９】
請求項７又は８に記載の空調機試運転アプリケーションにおいて、
前記モバイル端末の制御部は、前記試運転正常完了の信号を受信した場合に、試運転スケジュールを生成したモバイル端末制御部又は管理サーバ制御部は、次に試運転を開始することになっていた空調機群、又は冷媒系統に属する空調機の試運転開始時刻を早めるように試運転スケジュールを変更することを特徴とする空調機試運転アプリケーション。
【請求項１０】
室外熱交換器を備えた室外機と室内熱交換器を備えた室内機とが冷媒配管により接続され、圧縮機により冷媒を循環させることで冷媒系統を構成し、少なくとも前記圧縮機の運転周波数、高圧圧力、低圧圧力、インバータ一次電流、インバータ二次電流、外気温度の何れかを検出する検出手段を備えた空調機と、
前記空調機の試運転操作を行うモバイル端末と、を備えた空調機試運転システムにおいて、
前記モバイル端末により請求項１、４、７の何れかに記載の空調機試運転アプリケーションが実行されることを特徴とする空調機試運転システム。
【発明の詳細な説明】
【技術分野】
【０００１】
本発明は、空調機試運転アプリケーション、及び空調機試運転システムに関する。
【背景技術】
【０００２】
従来、スマートフォン等のモバイル端末を利用した空調機器管理システムがあった。例えば特許文献１には、集中コントローラが収集した空調機に関する情報を携帯端末（モバイル端末）に転送し、上記情報をモバイル端末から管理サーバに転送することで、空調機に関する情報の一元管理を可能とする空調機器管理システムが記載されている。
【先行技術文献】
【特許文献】
【０００３】
【特許文献１】特開２０１３−２４５４６号公報
【発明の概要】
【発明が解決しようとする課題】
【０００４】
しかしながら、特許文献１では、スマートフォン等のモバイル端末を利用して試運転を行う方法については記載されていない。従来の試運転は、サービス業者が手元リモコンを使って空調機を順次運転させ、空調機運転中に、空調機内部の各種圧力や各種温度をモニタリングする。多数の空調機の手元リモコンをその場まで移動して操作するのは煩わしく、また、モニタリングには専用の冶具やパソコンを使用し、モニタリングすべき項目も多数あるため、試運転を行うサービス業者には高いスキルが必要とされる。【０００５】
そこで本発明は、空調機の試運転操作をモバイル端末で行うことを可能とし、コスト低減を図った空調機試運転アプリケーション、及びこの空調機試運転アプリケーションを実行するモバイル端末を有する空調機試運転システムを提供することを目的とする。  
【課題を解決するための手段】
【０００６】
上記課題を解決するために、本発明の空調機試運転システムは、モバイル端末により実行される空調機試運転アプリケーションにおいて、前記モバイル端末の操作部に対して所定の操作がされることにより、前記モバイル端末の制御部は、空調システムを構成する室外機及び室内機のうち、試運転を行う所定の一群に属するものの型式情報を表示しない状態で他方の一群の型式情報を前記モバイル端末の表示部に表示させ、前記モバイル端末の操作部で表示切替操作が行われることにより、前記モバイル端末の制御部は、表示されていなかった前記他方の一群の型式情報を前記モバイル端末の前記表示部に表示させ、表示されていた前記一方の一群の型式情報を表示しない状態とすることを特徴とする。
【発明の効果】
【０００７】
本発明によれば、空調機の試運転操作をモバイル端末で行うことを可能とし、コスト低減を図った空調機試運転アプリケーション、及びこの空調機試運転アプリケーションを実行するモバイル端末を有する空調機試運転システムを提供することができる。  
上記した以外の課題、構成及び効果は、以下の実施形態の説明により明らかにされる。
【図面の簡単な説明】
【０００８】
【図１】本発明の第一の実施形態に係るシステム全体の構成図である。
【図２】本発明の第一の実施形態に係る空調機の冷凍サイクル系統図である。
【図３】本発明の第一の実施形態に係る室外機の機能ブロック図である。
【図４】本発明の第一の実施形態に係る室内機及びリモコンの機能ブロック図である。
【図５】本発明の第一の実施形態に係る無線アダプタの機能ブロック図である。
【図６】本発明の第一の実施形態に係るモバイル端末の機能ブロック図である。
【図７】本発明の第一の実施形態に係る管理サーバの機能ブロック図である。
【図８】本発明の第一の実施形態に係る各機器の処理フロー図である。
【図９】本発明の第一の実施形態に係る各機器の処理フロー図である。
【図１０】本発明の第一の実施形態に係る各機器の処理フロー図である。
【図１１】本発明の第一の実施形態に係るモバイル端末の画面例を示す図である。
【図１２】本発明の第一の実施形態に係るモバイル端末の画面例を示す図である。
【図１３】本発明の第一の実施形態に係る接続確認情報のデータ構造の例を示す図である。
【図１４】本発明の第一の実施形態に係る試運転スケジュール情報のデータ構造の例を示す図である。
【図１５】本発明の第一の実施形態に係る試運転結果情報のデータ構造の例を示す図である。
【図１６】本発明の第二の実施形態に係る各機器の処理フロー図である。
【図１７】本発明の第三の実施形態に係る各機器の処理フロー図である。
【発明を実施するための形態】
【０００９】
以下、図面を用いて実施例を説明する。各図における同一符号は同一物または相当物を示す。
【実施例１】
【００１０】
本実施例では、サービス業者がスマートフォン等のモバイル端末を利用し、複数の空調機の接続確認結果の確認、接続確認結果の管理サーバへのアップロード、複数の空調機への初期設定、複数の空調機に対する試運転スケジュールの生成、試運転の起動、試運転結果の確認、試運転結果の管理サーバへのアップロード、試運転結果のプリンタへの出力を簡単に行えるようにする空調機試運転システムについて説明する。【００１１】
図１は本発明を適用した空調機試運転システムの全体図を示す。図１に示す空調機試運転システムは、室外機１（１ａ、１ｂ）、室内機２（２ａ−１〜２ａ−３、２ｂ−１〜２ｂ−３）、集中制御機器３、無線アダプタ４、モバイル端末５、空調機通信用伝送線６、広域無線基地局７、インターネット８、管理サーバ９、情報端末１０、プリンタ１１から構成される。【００１２】
室外機１と室内機２は、後述のとおり冷媒配管により接続され、冷凍サイクルを形成する。図１では室外機１が２台、室内機２が６台となっているが、各々１台以上存在すれば良い。室内機２にはリモコンが接続されるが、図１では省略している。【００１３】
集中制御機器３は、空調機通信用伝送線６を介して室外機１、室内機２と接続され、接続された機器の監視及び制御を行う。例えば、単一または複数機器に対して、運転／停止、運転モード切り替え、設定温度変更、風向きや風量の変更、リモコン操作の禁止設定、スケジュール設定等を行うことができる。また、接続された機器の状態表示やアラーム表示を行うことができる。【００１４】
無線アダプタ４は、空調機通信用伝送線６を介して室外機１、室内機２と接続される。また、無線アダプタ４は、無線通信によりモバイル端末５とデータ交換を行う。無線通信方式は、例えば、ＷｉＦｉ（登録商標）、Ｂｌｕｅｔｏｏｔｈ（登録商標）、Ｚｉｇｂｅｅ（登録商標）である。なお、無線アダプタ４とモバイル端末５との間に無線アクセスポイント（無線基地局）を介する構成でも良い。無線アダプタ４は、モバイル端末５の指示に応じて、室外機１、室内機２の現在の運転情報をモバイル端末５に送信したり、室外機１、室内機２に対する制御を行ったりする。【００１５】
モバイル端末５は、さらに、広域無線基地局７を介して、インターネット８との接続が可能である。無線通信方式は、例えば、３Ｇ（３ｒｄ  Ｇｅｎｅｒａｔｉｏｎ）、ＬＴＥ（登録商標）、ＷｉＭＡＸ（登録商標）である。【００１６】
管理サーバ９は、インターネット８と接続され、モバイル端末５とデータ交換を行う。管理サーバ９は、モバイル端末５から送信された空調機の接続情報等を保持する。また、管理サーバ９は、空調機の機種毎のデータベースを保持し、モバイル端末５の指示に応じて、モバイル端末５に送信する。【００１７】
情報端末１０は、インターネット８と接続され、管理サーバ９と通信可能である。情報端末１０を使用して、管理サーバ９に保持された空調機の接続情報や、空調機の機種毎のデータベースを参照したり、管理サーバ９に保持された空調機の機種毎のデータベースを更新したりできる。【００１８】
プリンタ１１は、インターネット８と接続され、モバイル端末５や情報端末１０と通信可能である。モバイル端末５の指示に応じて、モバイル端末５に表示した内容をプリンタ１１に出力することが可能である。  
なお、空調機試運転システムには、換気機器を含んでも良い。【００１９】
図２は本発明に係る空調機の冷凍サイクル系統図を示す。  
室外機１と室内機２は、ガス配管３１及び液配管３２を介して接続される。室外機１は、圧縮機１０１、四方弁１０２、室外熱交換器１０３、室外送風機１０４、室外膨張弁１０５を備える。圧縮機１０１は、スクロール圧縮機、スクリュー圧縮機等であり、冷媒を圧縮し、高圧ガスを吐出する。四方弁１０２は、圧縮機１０１から吐出した冷媒ガスを、室外熱交換器１０３に導くか、室内熱交換器２０１に導くかの切り替えを行うものであり、これにより、冷房運転と暖房運転とを切り替える。室外送風機１０４は、室外空気を室外熱交換器１０３に通風するように配置され、室外熱交換器１０３は、室外送風機からの室外空気と内部を流れる冷媒とで熱交換を行う。室外膨張弁１０５は、電子膨張弁等で構成され、冷媒を減圧する。【００２０】
また、室外機１は、外気温度センサ４１、圧縮機吐出ガス配管温度センサ４２、熱交換器配管温度センサ４３、高圧圧力センサ５１、低圧圧力センサ５２を備える。外気温度センサ４１は、室外機１の外気の温度を測定する。圧縮機吐出ガス配管温度センサ４２は、圧縮機１０１の吐出ガス配管の温度を測定する。熱交換器配管温度センサ４３は、室外熱交換器１０３の液配管３２側の温度を測定する。高圧圧力センサ５１は、圧縮機１０１の吐出ガスの圧力を測定する。低圧圧力センサ５２は、圧縮機１０１の吸込ガスの圧力を測定する。【００２１】
室内機２は、室内熱交換器２０１、室内送風機２０２、室内膨張弁２０３を備える。室内送風機２０２は、室内空気を室内熱交換器２０１に通風するように配置される。室内熱交換器２０１は、室内空気と熱交換を行う。室内膨張弁２０３は、電子膨張弁等で構成され、冷媒を減圧する。【００２２】
また、室内機２は、吸込温度センサ４４、吹出温度センサ４５、冷媒ガス配管温度センサ４６、冷媒液配管温度センサ４７を備える。吸込温度センサ４４は、室内熱交換器２０１の吸込口の室内空気温度を測定する。吹出温度センサ４５は、室内熱交換器２０１の吹出口の室内空気温度を測定する。冷媒ガス配管温度センサ４６は、室内熱交換器２０１のガス配管３１側の温度を測定する。冷媒液配管温度センサ４７は、室内熱交換器２０１の液配管３２側の温度を測定する。さらに、室内機２には、リモコン１２が接続される。リモコン１２は、リモコン温度センサ４８を備える。リモコン温度センサ４８は、リモコン１２の周囲の室内空気温度を測定する。【００２３】
図３は本発明に係る室外機の機能ブロック図を示す。  
室外機１が備える室外機制御部１０６は、圧縮機１０１、四方弁１０２、室外送風機１０４、室外膨張弁１０５、室外機通信部２０７、記憶部１０８を制御する。圧縮機１０１、四方弁１０２、室外送風機１０４、室外膨張弁１０５についてはすでに説明したとおりである。圧縮機１０１の制御において、室外機制御部１０６は圧縮機１０１の運転周波数を指示する。また、圧縮機１０１は内部のインバータの一次電圧及び二次電圧を測定、あるいは、演算する機能を持ち、室外機制御部１０６はこれを読み出す。四方弁１０２の制御において、室外機制御部１０６は冷媒の流れる向きを切り替える。【００２４】
室外送風機１０４の制御において、室外機制御部１０６は運転を指示し、送風機運転状態を取得する。室外膨張弁１０５の制御において、室外機制御部１０６は膨張弁開度を切り替える。室外機通信部２０７は、空調機通信用伝送線６を介して、室内機２、集中制御機器３、無線アダプタ４と通信を行う。記憶部１０８は、室外機１の制御プログラムや各種設定値を記憶する。また、室外機制御部１０６は、外気温度センサ４１、圧縮機吐出ガス配管温度センサ４２、熱交換器配管温度センサ４３、高圧圧力センサ５１、低圧圧力センサ５２の計測値を読み出すことができる。【００２５】
図４は本発明に係る室内機及びリモコンの機能ブロック図を示す。  
室内機２が備える室内機制御部２０４は、室内送風機２０２、室内膨張弁２０３、室内機通信部２０５、リモコン通信部２０６、記憶部２０７を制御する。室内送風機２０２、室内膨張弁２０３についてはすでに説明したとおりである。室内送風機２０２の制御において、室内機制御部２０４は運転を指示し、送風機運転状態を取得する。室内膨張弁２０３の制御において、室内機制御部２０４は膨張弁開度を切り替える。室内機通信部２０５は、空調機通信用伝送線６を介して、室外機１、集中制御機器３、無線アダプタ４と通信を行う。リモコン通信部２０６は、リモコン１２と通信を行う。記憶部２０７は、室内機２の制御プログラム、各種設定値、各種内部状態を記憶する。各種設定値には、設定温度、運転モード、風量設定等が含まれる。各種内部状態には、異常が発生した時に異常の種類を特定するアラームコードが含まれる。【００２６】
また、室内機制御部２０４は、吸込温度センサ４４、吹出温度センサ４５、冷媒ガス配管温度センサ４６、冷媒液配管温度センサ４７の計測値を読み出すことができる。【００２７】
リモコン１２が備えるリモコン制御部１２０１は、リモコン通信部１２０２、表示部１２０３、操作部１２０４、記憶部１２０５を制御する。リモコン通信部１２０２は、室内機２と通信を行う。表示部１２０３は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等から構成され、室内機またはリモコンに関連した情報を表示する。操作部１２０４は、ボタン、スイッチ、タッチパネル等から構成され、ユーザからの入力を受け付ける。記憶部１２０５は、リモコン１２の制御プログラム、各種設定値、各種内部状態を記憶する。各種設定値には、設定温度、運転モード、風量設定等が含まれる。各種内部状態には、異常が発生した時に異常の種類を特定するアラームコードが含まれる。また、リモコン制御部１２０１は、リモコン温度センサ４８の計測値を読み出すことができる。【００２８】
図５は本発明に係る無線アダプタの機能ブロック図を示す。  
無線アダプタ４が備える無線アダプタ制御部４０１は、空調機通信部４０２、第一無線通信部４０３、記憶部４０４を制御する。空調機通信部４０２は、空調機通信用伝送線６を介して、室外機１、室内機２、集中制御機器３と通信を行う。第一無線通信部４０３は、モバイル端末５と無線通信を行う。無線通信方式は、例えば、ＷｉＦｉ（登録商標）、Ｂｌｕｅｔｏｏｔｈ（登録商標）、Ｚｉｇｂｅｅ（登録商標）である。記憶部４０４は、無線アダプタ４の制御プログラムや各種設定値、室外機１及び室内機２から取得した現在状態情報を記憶する。無線アダプタ４は空調機と別体になっていても構わないし、空調機（室外機１、室内機２、集中制御機器３等）に取り付けられても良い。また、空調機が無線アダプタ４の機能を有することが可能であれば、空調機の一機能として構成するようにしても良い。【００２９】
図６は本発明に係るモバイル端末の機能ブロック図を示す。  
モバイル端末５が備えるモバイル端末制御部５０１は、第一無線通信部５０２、第二無線通信部５０３、表示部５０４、操作部５０５、記憶部５０６を制御する。第一無線通信部５０２は、無線アダプタ４と無線通信を行う。無線通信方式は、例えば、ＷｉＦｉ（登録商標）、Ｂｌｕｅｔｏｏｔｈ（登録商標）、Ｚｉｇｂｅｅ（登録商標）である。第二無線通信部５０３は、広域無線基地局７を介して、インターネット８に接続する。無線通信方式は、例えば、３Ｇ（３ｒｄ  Ｇｅｎｅｒａｔｉｏｎ）、ＬＴＥ（登録商標）、ＷｉＭＡＸ（登録商標）である。【００３０】
表示部５０４は、ＬＣＤやＬＥＤ等から構成され、各種情報を表示する。操作部５０５は、ボタン、スイッチ、タッチパネル等から構成され、ユーザからの入力を受け付ける。記憶部５０６は、モバイル端末５の制御プログラムや各種設定値、無線アダプタ４から取得した室外機１及び室内機２の現在状態情報、管理サーバ９から取得したデータを記憶する。モバイル端末５の制御プログラムには、無線アダプタ４と通信して空調機の管理を行う空調機試運転アプリケーションが含まれる。空調機試運転アプリケーションは、モバイル端末５にプリインストールされていても良いし、管理サーバ９からダウンロードしても良い。なお、表示部５０４、操作部５０５、記憶部５０６が別装置となる構成でも良い。【００３１】
図７は本実施例に係る管理サーバの機能ブロック図を示す。  
管理サーバ９が備える管理サーバ制御部９０１は、ＬＡＮ通信部９０２、表示部９０３、操作部９０４、記憶部９０５を制御する。ＬＡＮ通信部９０２は、インターネット８に接続する。表示部９０３は、ＬＣＤやＬＥＤ等から構成され、各種情報を表示する。操作部９０４は、ボタン、スイッチ、タッチパネル、キーボード、マウス等から構成され、ユーザからの入力を受け付ける。記憶部９０５は、管理サーバ９の制御プログラムや各種設定値、モバイル端末５から取得したデータを記憶する。さらには、空調機製品に関するデータベースを記憶する。本データベースには、各空調機の仕様情報、マニュアルが含まれる。なお、表示部９０３、操作部９０４、記憶部９０５が別装置となる構成でも良い。【００３２】
なお、以下においては空調機が無線アダプタ４の機能を有することが可能であれば、空調機の一機能として構成するようにしても良い。【００３３】
図８は、モバイル端末を使用した試運転操作の内、現在状態取得操作、接続確認情報アップロード操作、初期値設定操作の処理フロー図を示す。また、図１１は、この時のモバイル端末の画面例を示す。【００３４】
空調機（室外機１と室内機２）の電源が投入された状態（Ｓ８０１）で、無線アダプタ４の電源を投入すると（Ｓ８０２）、無線アダプタ４の無線アダプタ制御部４０１は、空調機（室外機１と室内機２）に対する接続確認処理を開始する（Ｓ８０３）。接続確認処理は、無線アダプタ４が空調機通信用伝送線６を介して通信可能な空調機を発見するための処理である。無線アダプタ４の無線アダプタ制御部４０１は、空調機通信部４０２に指示することにより、空調機通信用伝送線６を介して全ての冷媒系統及びアドレスに対して、順次、所定の電文信号を送信する。全ての冷媒系統及びアドレスに対するブロードキャスト送信でも良い。【００３５】
例えば、室内機２を例に説明すると、室内機２の室内機通信部２０５により上記電文信号が受信されると、室内機制御部２０４は室内機通信部２０５を介して無線アダプタ４に対して応答信号を送信する。空調機が送信する応答信号には、空調機（室外機１又は室内機２）の属性や状態を示す情報が含まれる。なお、室外機１の場合には、室外機通信部１０７により上記電文信号が受信されると、室外機制御部１０６は室外機通信部１０７を介して無線アダプタ４に対して応答信号を送信する。なお、以下において単に空調機といった場合、室外機１又は室内機２のことをいうものとする。【００３６】
この応答信号に含まれる情報としては、空調システムに接続される空調機の型式、能力（冷房能力／暖房能力等）、機種、製造番号、冷媒系統、アドレス、運転状態（運転／停止）、運転モード（冷房／暖房等）、設定温度、風向、風量、リモコン禁止状態、トータル運転時間、運転モード固定設定、風向固定設定、風量固定設定、アラーム情報等がある。これらの情報を収集するために応答信号、所定の電文が複数となって構成される場合もある。【００３７】
無線アダプタ４の空調機通信部４０２が室外機１又は室内機２から正常な応答信号を受信した場合、無線アダプタ制御部４０１はその室外機１又は室内機２が正常に接続されていると認識する。【００３８】
無線アダプタ４の無線アダプタ制御部４０１は、接続確認処理を終えると、その過程で取得した空調機の応答信号に含まれる上記情報（現在状態情報）を記憶部４０４に記憶させる（Ｓ８０４）。なお、その後、空調機の状態が変化した場合に空調機の制御部（室外機制御部１０６又は室内機制御部２０４）は、通信部（室外機通信部１０７又は室内機通信部２０５）を介して電文信号を無線アダプタ４に送信することにより、この電文信号を空調機通信部４０２で受けた無線アダプタ４の無線アダプタ制御部４０１はこれを認識し、記憶部４０４に記憶された上記現在状態情報を更新する。【００３９】
ここでたとえば空調機の試運転を行うモバイル端末５の使用者は、操作部５０５を操作することにより、この操作部５０５からの信号がモバイル端末制御部５０１に受け付けられ、モバイル端末制御部５０１は記憶部５０６に記憶された空調機試運転アプリケーションを起動する。またモバイル端末５の操作者が空調機の現在状態取得操作を操作部５０５に行うことにより（Ｓ８０５）、この操作部５０５からの信号がモバイル端末制御部５０１に受け付けられ、モバイル端末制御部５０１は第一無線通信部５０２を介して、無線アダプタ４に対して、現在状態取得要求を送信する（Ｓ８０６）。現在状態取得要求は、空調機一台の情報を要求するものでも良いし、複数台の空調機の情報をまとめて要求するものでも良い。【００４０】
無線アダプタ４の第一無線通信部４０３が現在状態取得要求を受信すると、無線アダプタ制御部４０１はモバイル端末５に対して第一無線通信部４０３を介して現在状態取得応答を送信する（Ｓ８０７）。この現在状態取得応答は、Ｓ８０４にて記憶部４０４に記憶された空調機の現在状態情報を含む。【００４１】
この現在状態取得応答の信号を受信したモバイル端末５のモバイル端末制御部５０１は、受信した現在状態取得応答に含まれる空調機の現在状態情報を表示するように表示部５０４を制御する（Ｓ８０８）。この時の表示部５０４の画面例を図１１の画面Ａ−１、Ａ−２に示す。画面Ａ−１では、接続確認処理で認識した全ての機器の冷媒系統、アドレス、型式の情報を一覧形式で表示している。なお、室内機、室外機、集中制御機器はタブ選択にて表示を切り替えられるようになっている。画面Ａ−１にて一つの機器を選択する操作を行うと、画面Ａ−２に遷移する。画面Ａ−２では、選択された機器の詳細情報を表示する。【００４２】
すなわち、本実施例のモバイル端末５により実行される空調機試運転アプリケーションによれば、モバイル端末５の操作部５０５を操作することにより、空調システムを構成する室外機１及び室内機２のうち、所定の一群に属するもの（たとえば室外機１）の型式情報を表示しない状態で他方の一群（たとえば室内機２）の型式情報をモバイル端末５の表示部５０４に表示させる。そしてモバイル端末５の操作部５０５で表示切替操作を行うことにより、表示されていなかった他方の一群（たとえば室外機１）の型式情報をモバイル端末５の表示部５０４に表示させ、元々、表示されていた一方の一群（たとえば室内機２）の型式情報を表示しない状態とするものである。【００４３】
ここでは型式情報のみを例として示したが、表示させる情報としては型式情報以外に画面Ａ−１に示したように冷媒系統、アドレスを合わせて表示することが望ましい。あるいは、群の分け方として、室外機１、室内機２で分けるのではなく、冷媒系統毎に表示するようにして、これをモバイル端末５の操作部５０５で表示切替操作を行うことで切替るようにしても構わない。【００４４】
モバイル端末５がスマートフォンである場合には、画面（表示部５０４）のサイズが限られているため、表示可能な情報が限られているが、上記の空調機試運転アプリケーションの構成により、モバイル端末５の使用者が容易に空調システムに接続されている室外機１、室内機２の構成を確認することが可能となる。近年、スマートフォンの普及率が著しく増加しているため、この空調機試運転アプリケーションによれば、コスト低減を図りながら、上記効果を得ることができる。【００４５】
ここでモバイル端末５の使用者が操作部５０５に対して空調機の接続確認情報アップロード操作を行うと（Ｓ８０９）、この操作信号を受けたモバイル端末制御部５０１は、第二無線通信部５０３を介して管理サーバ９に対して、接続確認情報アップロードの信号を送信する（Ｓ８１０）。管理サーバ９はＬＡＮ通信部９０２を介して、この信号を受信して管理サーバ制御部９０１はこの受信した接続確認情報を記憶部９０５に記憶する（Ｓ８１１）。これにより、モバイル端末５を利用して簡単に空調システムに接続された空調機（室外機１、室内機２、集中制御機器等）の接続確認情報を管理サーバ９上に記憶することができる。管理サーバ９に接続確認情報を記憶させることで、他の機器からも当該情報を利用することができ、利便性が向上する。【００４６】
図１３は管理サーバ９に記憶された接続確認情報のデータ構造の例を示す。接続確認情報は、空調機情報と物件情報を含む。空調機情報は、例えば、各空調機に割り当てたシーケンス番号（図１３では“Ｎｏ．”と表記）、冷媒系統、アドレス、型式、各種状態、各種設定値、配管長、配管高低差（配管の出入口の高低差）を含む。冷媒系統、アドレス、型式、各種状態、各種設定値は、Ｓ８０７の現在状態取得応答に含まれる情報である。【００４７】
配管長及び配管高低差は、必要に応じて、モバイル端末５の使用者が操作部５０５を操作することにより、この操作信号を受けたモバイル端末制御部５０１が記憶部５０６に記憶させる情報である。物件情報は、例えば、物件名、住所、運用開始日、最大電源容量を含む。いずれも配管長及び配管高低差と同様に、モバイル端末５の操作部５０５を操作することでモバイル端末制御部５０１によって記憶部５０６に記憶させる情報である。また最大電源容量も、契約電力量等に応じて使用者によって登録される情報で、一日、一ヶ月、または一年当たりに利用可能な最大電力量である。なお、上記した項目は、空調機情報及び物件情報の一例であり、それら以外の項目を含んでも問題ない。【００４８】
次にモバイル端末５の使用者が本実施例の空調機試運転アプリケーションにて操作部５０５に対して、空調機の初期値設定操作を行うと（Ｓ８１２）、この操作信号を受けたモバイル端末制御部５０１は、第一無線通信部５０２を介して無線アダプタ４に対して、初期値設定要求の信号を送信する（Ｓ８１３）。初期値設定要求の初期値とは、運転開始時の空調機の運転条件のことであり、たとえば運転モード（暖房運転又は冷房運転）、室内ファン風量、室外ファン風量、ルーバの風向等である。設定する初期値設定要求は、空調機一台の設定を要求するものでも良いし、複数台の空調機の設定をまとめて要求するものでも良い。【００４９】
無線アダプタ４の第一無線通信部４０３にて、この初期値設定要求信号を受信すると、無線アダプタ制御部４０１は第一無線通信部４０３を介してモバイル端末５に対して初期値設定応答信号を送信するとともに（Ｓ８１４）、無線アダプタ制御部４０１は空調機通信部４０２を介して空調機に対して初期値設定要求信号を送信する（Ｓ８１５）。【００５０】
空調機の制御部（室外機制御部１０６又は室内機制御部２０４）は、通信部（室外機通信部１０７又は室内機通信部２０５）により初期値設定要求を受信すると、初期値設定要求にて設定された所定の運転条件に基づいて、運転制御を行う。【００５１】
したがって、本実施例の空調機試運転アプリケーションによれば、モバイル端末５の使用者が操作部５０５により、運転開始時の複数の空調機の運転条件を設定する操作を行った後、一括で設定した運転条件に基づいて運転開始するように前記複数の空調機に対して運転開始操作を行った場合に、この操作信号（初期値設定要求）を受けた空調機の制御部（室外機制御部１０６又は室内機制御部２０４）は、それぞれ設定された運転条件に基づいて運転制御を行うものである。【００５２】
また、空調機の通信部（室外機通信部１０７又は室内機通信部２０５）を介して無線アダプタ４に対して初期値設定応答信号を送信する（Ｓ８１６）。無線アダプタ４の空調機通信部４０２でこの初期値設定応答信号を受信すると、無線アダプタ制御部４０１は、初期値設定応答の内容に基づいて、記憶部４０４内の現在状態情報を更新する（Ｓ８１７）。【００５３】
図１１の画面Ａ−１〜６はＳ８１２にてモバイル端末５の使用者が操作部５０５で初期値設定操作を行う時の表示部５０４の画面例を示す。画面Ａ−２にて初期値を設定したい項目を選択する操作を操作部５０５に対して行うと、モバイル端末制御部５０１は表示部５０４を画面Ａ−３に遷移するように制御する。同様に画面Ａ−３にて設定値を選択する操作を行うと、画面Ａ−２に戻り、その際に、Ｓ８１３の処理を行う。また、画面Ａ−１にて複数機器に対して初期値を一括設定する操作を行うと、画面Ａ−４に遷移する。画面Ａ−４にて初期値を設定したい機器を選択する操作を行うと、画面Ａ−５に遷移する。画面Ａ−５にて初期値を設定したい項目を選択する操作を行うと、画面Ａ−６に遷移する。画面Ａ−６にて設定値を選択する操作を行うと、画面Ａ−５に戻り、その際に、Ｓ８１３の処理を行う。【００５４】
なお、初期値が正しく設定されたかを確認するために、Ｓ８１２の初期値設定操作後に、再度Ｓ８０５の現在状態取得操作、Ｓ８０９の接続確認情報アップロード操作を行っても良い。その場合の動作は、上記の説明と同様となる。  
以上により、モバイル端末５を利用して簡単に全ての空調機に対する初期値設定を行うことができる。【００５５】
図９は、モバイル端末を使用した試運転操作の内、スケジュール設定操作の処理フロー図を示す。また、図１２は、この時のモバイル端末の画面例を示す。モバイル端末５の使用者がモバイル端末５の記憶部５０６に記憶された空調機試運転アプリケーションにて、操作部５０５により空調機の試運転設定操作を行うと（Ｓ９０１）、この操作信号を受けたモバイル端末制御部５０１は、試運転スケジュールを生成する（Ｓ９０２）。【００５６】
その際、モバイル端末制御部５０１は記憶部５０６に記憶された情報と、管理サーバ９の記憶部９０５に記憶された情報を利用する。図８のＳ８０９からＳ８１１の処理により、両者で同じ情報を記憶している場合があるが、当該情報についてはどちらの情報を利用しても良い。接続確認処理では取得できない各空調機の詳細な仕様情報や、マニュアルに関する情報については、第二無線通信部５０３を介して管理サーバ９のＬＡＮ通信部９０２と通信することで記憶部９０５の内容を参照する。これらの一部を事前に第二無線通信部５０３とＬＡＮ通信部９０２との通信によりモバイル端末５の記憶部５０６に記憶するようにし、それを参照しても良い。【００５７】
また、ここではモバイル端末制御部５０１が試運転スケジュールを生成するとしているが、管理サーバ９の管理サーバ制御部９０１が試運転スケジュールを生成し、ＬＡＮ通信部９０２を介してモバイル端末５にそれを転送しても良い。これにより、モバイル端末５が安価で処理能力の低い場合でも、短時間で試運転スケジュールを生成することができる。【００５８】
図１４は生成する試運転スケジュール情報のデータ構造の例を示す。冷媒系統及びアドレスで指定した各空調機に対して、試運転を開始する時刻、試運転の終了予定時刻、試運転の動作モードが関連付けられる。モバイル端末５の使用者が操作部５０５を操作することで試運転スケジュールを生成する場合、この操作信号を受けたモバイル端末制御部５０１が試運転スケジュールを生成して記憶部５０６に記憶させる。【００５９】
すなわち、本実施例のモバイル端末５により実行される空調機試運転アプリケーションによれば、試運転が可能な空調機の冷媒系統情報、及びアドレス情報を管理サーバ９にアクセスすることにより取得する、又は記憶部５０６に記憶されたこれらの情報を読み出すことにより取得し、モバイル端末５の表示部５０４に表示する。そして、使用者が操作部５０５にそれぞれの空調機についての試運転開始時刻設定操作を行うことにより、この操作信号がモバイル端末制御部５０１に受け付けられ、図１２に示すように、モバイル端末制御部５０１は表示部５０４にこの試運転開始時刻設定操作により設定されたそれぞれの空調機の試運転開始時刻を表示する。【００６０】
また、使用者が操作部５０５にそれぞれの空調機についての試運転終了時刻設定操作を行うことにより、この操作信号がモバイル端末制御部５０１に受け付けられ、図１２に示すように、モバイル端末制御部５０１は表示部５０４にこの試運転終了時刻設定操作により設定されたそれぞれの空調機の試運転終了時刻を表示する。【００６１】
さらに本実施例のモバイル端末５により実行される空調機試運転アプリケーションによれば、使用者が操作部５０５にそれぞれの空調機についての試運転モード設定操作を行うことにより、この操作信号がモバイル端末制御部５０１に受け付けられ、図１２に示すように、モバイル端末制御部５０１は表示部５０４にこの試運転モード設定操作により設定されたそれぞれの空調機の試運転モード（暖房運転又は冷房運転）を表示する。【００６２】
また、モバイル端末制御部５０１は、それぞれの空調機の試運転時間は共通で所定時間（例：２時間）として使用者が試運転終了時刻設定操作をしなくとも予め、表示部５０４に表示された試運転開始時刻に上記所定時間が経過した時刻を試運転終了時刻として表示するようにしても構わない。また、モバイル端末制御部５０１は、ある冷媒系統に属する空調機の試運転開始時刻を表示部５０４に表示した場合に、この冷媒系統に属する他の空調機の試運転開始時刻を上記表示した試運転開始時刻と同じ時刻として表示部５０４に表示するようにしても良い。【００６３】
同一冷媒系統に属する空調機は同じ時刻に試運転開始をすることが多いことから、このようにすることで、使用者の設定が不要となり利便性向上を図ることが可能となる。【００６４】
なお、管理サーバ９において試運転スケジュールを生成する場合には、管理サーバ制御部９０１は、所定時刻を試運転開始時刻として設定し、またそれぞれの空調機の試運転時間は上記と同様に共通で所定時間として試運転終了時刻を設定したものをＬＡＮ通信部９０２を介してモバイル端末５に送信する。この送信された信号をモバイル端末５において第二無線通信部５０３を介して受信し、モバイル端末制御部５０１は表示部５０４に表示することで上記と同様の効果を得ることができる。【００６５】
また、モバイル端末制御部５０１は、ある冷媒系統に属する空調機の試運転開始時刻を表示部５０４に表示した場合に、他の冷媒系統に属する他の空調機の試運転開始時刻を上記表示した試運転開始時刻と所定時刻だけずらして表示部５０４に表示するようにしても良い。異なる冷媒系統に属する空調機は異なる時刻に試運転開始をすることが多いことから、同様に利便性向上を図ることが可能となる。【００６６】
なお上記のモバイル端末制御部５０１又は管理サーバ制御部９０１が試運転スケジュールを生成する場合において、試運転を開始する最初の空調機グループ（冷媒系統）の試運転開始時刻として現在時刻の所定時間後に自動的に設定するようにしても良く、これにより、使用者の試運転開始時刻の設定が不要となることから、やはり利便性向上を図ることが可能となる。【００６７】
また上記のモバイル端末制御部５０１又は管理サーバ制御部９０１が試運転スケジュールを生成する場合において、同時に試運転を実行する空調機のグループを図１３中に示した物件情報の最大電源容量に基づいて、選択するようにしても良い。すなわち、モバイル端末制御部５０１又は管理サーバ制御部９０１は、同一冷媒系統に属する空調機を一グループとして同時に試運転開始するようにスケジューリングするが、同一冷媒系統に属する空調機数が多く、同時に試運転を行うと、上記最大電源容量を超えてしまう場合に、最大電源容量を超えないように、同一冷媒系統に属する空調機を複数グループに分け、試運転開始時刻をずらして試運転を行うようにスケジューリングする。【００６８】
また上記のモバイル端末制御部５０１又は管理サーバ制御部９０１が試運転スケジュールを生成する場合において、同一冷媒系統に属する空調機数が少なく、同時に試運転を行っても、最大電源容量までに余裕がある場合に、最大電源容量を超えないように、異なる冷媒系統に属する空調機も当該時間帯に試運転を行うようにスケジューリングするようにしても構わない。なお、モバイル端末制御部５０１又は管理サーバ制御部９０１は、各空調機の消費電力を管理サーバ９の記憶部９０５に記憶されている製品データベースを参照し、空調機の能力や型式等から導出する。これにより、モバイル端末５を利用して簡単に試運転を実行でき、しかも、建物の最大電源容量を考慮して効率良く実行できる。【００６９】
また上記のモバイル端末制御部５０１又は管理サーバ制御部９０１が試運転スケジュールを生成する場合において、各空調機の試運転時間を共通とするのでなく、各空調機の能力、配管長、配管高低差、一冷媒系統当たりの接続室内機台数等に基づいて、試運転時間を変えるようにしても構わない。すなわち、空調の能力が高い（容量が大きい）、配管長が長い、配管高低差が大きい、一冷媒系統当たりの接続室内機台数が多い場合、冷媒量が多くなり、動作が安定するまでの時間を長く要することが考えられるので、モバイル端末制御部５０１又は管理サーバ制御部９０１は、試運転時間を長くする。逆の場合には、試運転時間を短くする。【００７０】
なお、モバイル端末制御部５０１又は管理サーバ制御部９０１は、各空調機の能力、配管長、配管高低差は、図１３中に示した管理サーバ９の記憶部９０５に記憶されている空調機情報を参照することで導出する。また、一冷媒系統当たりの接続室内機台数は、図１３中に示した空調機情報から算出できる。これにより、モバイル端末５を利用して簡単に試運転を実行でき、しかも、空調機毎に試運転時間を効率良く設定できる。【００７１】
ここで使用者がモバイル端末５により実行される空調機試運転アプリケーションを用いて操作部５０５により試運転スケジュールを生成する具体的な例を説明する。使用者は操作部５０５を操作することにより一冷媒系統毎に時間をずらして試運転を行うのか、一台毎に時間をずらして試運転を行うのかを設定可能であり、モバイル端末制御部５０１はこの操作信号を受けて試運転スケジュールを生成する。【００７２】
たとえば、一冷媒系統毎に時間を３０分ずらすように使用者が操作部５０５を操作した場合には、モバイル端末制御部５０１は第１の冷媒系統を所定時刻（たとえば９：００）から所定時間（たとえば２時間）後の終了時刻（たとえば１１：００）として設定し、また第２の冷媒系統を３０分ずらした所定時刻（９：３０）から所定時間（たとえば２時間）後の終了時刻（たとえば１１：３０）として設定し、この設定した冷媒系統毎の試運転スケジュール情報を表示部５０４に表示させる。【００７３】
あるいは空調機の所定台数毎に時間を３０分ずらすように使用者が操作部５０５を操作した場合には、モバイル端末制御部５０１は第１の空調機群を所定時刻（たとえば９：００）から所定時間（たとえば２時間）後の終了時刻（たとえば１１：００）として設定し、また第２の空調機群を３０分ずらした所定時刻（９：３０）から所定時間（たとえば２時間）後の終了時刻（たとえば１１：３０）として設定し、この設定した空調機群毎の試運転スケジュール情報を表示部５０４に表示させる。これにより、モバイル端末５を利用して簡単に試運転を実行でき、しかも、ユーザの要望に応じて柔軟な設定ができる。【００７４】
図１２の画面Ｂ−１は、図９のＳ９０３においてモバイル端末５で生成した試運転スケジュールの設定表示操作を行った際の表示部５０４の表示画面の一例を示す。画面Ｂ−１では、一冷媒系統毎に空調機の試運転モード、試運転開始時刻、試運転終了時刻を一覧形式で表示している。なお、冷媒系統はタブ選択にて表示を切り替えられるようになっている。【００７５】
表示された内容に対して、必要があれば設定を変更する（Ｓ９０４）。この時の画面例を図１２の画面Ｂ−１〜Ｂ−３に示す。画面Ｂ−１で設定変更したい機器を選択する操作を操作部５０５に対して行うと、モバイル端末制御部５０１はこの操作信号を受けて試運転スケジュールを変更するとともに表示部５０４を画面Ｂ−２に遷移するように制御する。画面Ｂ−２にて設定変更したい項目を選択する操作を操作部５０５に対して行うと、モバイル端末制御部５０１は表示部５０４を画面Ｂ−３に遷移するように制御する。同様に画面Ｂ−３にて設定値を選択する操作を行うと、画面Ｂ−２に戻り、変更された設定内容がモバイル端末５の記憶部５０６に記憶される。【００７６】
次に使用者が操作部５０５に対して空調機の試運転開始操作を行うと（Ｓ９０５）、モバイル端末制御部５０１は、無線アダプタ４に対して第一無線通信部５０２を介して、試運転開始要求の信号を送信する（Ｓ９０６）。試運転開始要求の信号には、Ｓ９０２で生成し、あるいはＳ９０４で変更された試運転スケジュール情報が含まれる。無線アダプタ制御部４０１は第一無線通信部４０３を介して試運転開始要求信号を受信すると、モバイル端末５に対して試運転開始応答信号を送信し（Ｓ９０７）、記憶部４０４に試運転スケジュール情報を記憶する（Ｓ９０８）。【００７７】
Ｓ９０８にて記憶した試運転スケジュール情報の中の、いずれかの試運転開始時刻に達すると、無線アダプタ制御部４０１は空調機通信部４０２を介して当該試運転開始時刻が設定された空調機に対して、制御要求信号を送信する（Ｓ９０９）。当該制御要求信号には、試運転スケジュール情報に含まれる試運転モードで動作する旨と、試運転スケジュールで設定された特定の能力で動作する旨の内容が含まれる。空調機の制御部（室外機制御部１０６又は室内機制御部２０４）は、通信部（室外機通信部１０７又は室内機通信部２０５）を介して制御要求信号を受信すると、無線アダプタ４に対して制御応答信号を送信し、試運転動作を開始する（Ｓ９１０）。制御応答信号を受信した無線アダプタ４は、その内容に基づいて記憶部４０４内の現在状態情報を更新する（Ｓ９１１）。【００７８】
試運転動作を開始した空調機の制御部（室外機制御部１０６又は室内機制御部２０４）は、定期的に、または、自身の所定の状態が変化した場合に、通信部（室外機通信部１０７又は室内機通信部２０５）を介して無線アダプタ４に対して現在状態通知を送信する（Ｓ９１２）。無線アダプタ制御部４０１は空調機通信部４０２を介して現在状態通知を受信すると、その内容を確認し、試運転が終了したかを判定し、その結果を記憶部４０４に記憶する（Ｓ９１３）。【００７９】
図１５は試運転結果情報のデータ構造の例を示す。冷媒系統及びアドレスで指定した各空調機に対して、試運転が正常終了したか、異常終了したか、実行中か、実行待ちかを示す情報、異常終了した場合はその理由を示すアラームコードが関連付けられる。すなわち、本実施例のモバイル端末５により実行される空調機試運転アプリケーションによれば、モバイル端末制御部５０１は、試運転を行う空調機の冷媒系統情報、及びアドレス情報を管理サーバ９にアクセスすることにより取得する、又は記憶部５０６に記憶されたこれらの情報を読み出すことにより取得し、モバイル端末５の表示部５０４に表示する。ここでは管理サーバ９を介して空調機と間接的に通信することを説明したが、空調機と直接、通信することで、これらの取得するようにしても構わない。【００８０】
そしてモバイル端末制御部５０１は、試運転を行う空調機と直接、又は間接的に通信することにより取得した情報に基づき、それぞれの空調機の試運転が正常に完了したか否かを示す情報を表示部５０４に表示させる。【００８１】
Ｓ９１３の試運転結果の判定方法は、室外機１が備える外気温度センサ４１、圧縮機吐出ガス配管温度センサ４２、熱交換器配管温度センサ４３、高圧圧力センサ５１、低圧圧力センサ５２や、室内機２が備える吸込温度センサ４４、吹出温度センサ４５、冷媒ガス配管温度センサ４６、冷媒液配管温度センサ４７、あるいは、リモコン１２が備えるリモコン温度センサ４８等の試運転判定対象空調機の冷凍サイクルに関連する物理監視量の計測値が所定値になった場合に異常と判断する。この判断は、これらの計測値を読み出すことで空調機の制御部（室外機制御部１０６又は室内機制御部２０４）で行っても良いし、これらの計測値を管理サーバ９、あるいは無線アダプタ４、あるいはモバイル端末５に送信することで、これを受信した管理サーバ制御部９０１や無線アダプタ制御部４０１、あるいはモバイル端末制御部５０１により判断するようにしても構わない。【００８２】
試運転結果の判定を行うその他のパラメータとしては、室外機制御部１０６が圧縮機１０１に指示した運転周波数や、複数の室外機の運転周波数の合計値、また圧縮機１０１内部で計測または算出したインバータの一次電圧及び二次電圧や、室外送風機１０４の運転状態、室外膨張弁１０５の膨張弁開度、あるいは、室内送風機２０２の運転状態や、室内膨張弁２０３の膨張弁開度等の冷凍サイクルに関連する物理監視量であっても良い。あるいはこれらの物理監視量の組み合わせにより試運転結果の判定を行うようにしても構わない。【００８３】
この中で、運転周波数、外気温度、インバータ一次電流、インバータ二次電流、室外機が複数ある場合に運転周波数の合計値、高圧圧力、低圧圧力、吸込温度、吹出温度、吸込温度と吹出温度の温度差、設定温度が、空調機の動作が正常であるか否かを判定するのに特に重要なパラメータである。他に、記憶部２０７に記憶された設定温度、運転モード、風量設定、アラームコードも判定に利用しても良い。【００８４】
以下に、制御部（室外機制御部１０６又は室内機制御部２０４、管理サーバ制御部９０１、無線アダプタ制御部９０１、又はモバイル端末制御部５０１）による試運転の判定方法の具体的な例を説明する。これは、いずれのパラメータを利用する場合でも適用できる。試運転判定対象空調機の冷凍サイクルに関連する物理監視量の計測値について、あらかじめ所定の上限値を決めておき、当該上限値を超えた場合、もしくは、所定時間連続して当該上限値を超えた場合に制御部が異常と判定する方法が考えられる。さらには、上記の上限値超過が所定回数発生した場合に異常と判定する方法も考えられる。逆に、所定時間内に一度も上限値超過が発生しなかった場合に正常と判定する方法が考えられる。【００８５】
また別の例として、試運転判定対象空調機の冷凍サイクルに関連する物理監視量の計測値について、あらかじめ所定の下限値を決めておき、当該下限値を下回った場合、もしくは、所定時間連続して当該下限値を下回った場合に異常と判定する方法が考えられる。さらには、上記の下限値未満が所定回数発生した場合に異常と判定する方法も考えられる。逆に、所定時間内に一度も下限値未満が発生しなかった場合に正常と判定する方法が考えられる。また別の例として、上記の上限値と下限値との組み合わせによる判定も考えられる。【００８６】
また別の例として試運転判定対象空調機の冷凍サイクルに関連する物理監視量の計測値について、あらかじめ正常範囲を決めておき、所定時間内に当該正常範囲にパラメータ値が達しなかった場合に異常と判定する方法が考えられる。逆に、所定時間内に当該正常範囲にパラメータ値が達した場合に正常と判定する方法が考えられる。また別の例として、上述の各種判定値（上限値、下限値等）を、設定温度、運転モード、風量設定に応じて変更する方法も考えられる。また、アラームコードが何らかの異常を示した場合に異常と判定する。【００８７】
なお、図１４の試運転スケジュール情報に含まれる試運転終了予定時刻よりも早く正常または異常の判定が確定した場合、その時点で試運転を終了する。何れの制御部（室外機制御部１０６又は室内機制御部２０４、管理サーバ制御部９０１、無線アダプタ制御部４０１、又はモバイル端末制御部５０１）により試運転の判定を行っているかにより、試運転の終了方法は異なるが、最終的には当該異常と判断された空調機の制御部（室外機制御部１０６又は室内機制御部２０４）に対して空調機の停止指令信号が送信される、あるいは、空調機の制御部（室外機制御部１０６又は室内機制御部２０４）自身で当該空調機の異常判定を行う。そしてこの制御部（室外機制御部１０６又は室内機制御部２０４）により当該空調機の試運転を終了するように制御する。複数のセンサの計測値を利用して判定を行う場合、一つでも異常と判定されたら、異常判定を確定して良い。全てのセンサの計測値について正常と判定された場合に、正常判定を確定する。これにより、全体の試運転時間を短縮することができる。【００８８】
たとえば無線アダプタ４により試運転の判定を行う場合には、上述の各種判定値（上限値、下限値等）は、あらかじめ無線アダプタ４の記憶部４０４に記憶しておき、上記パラメータが空調機の制御部（室外機制御部１０６又は室内機制御部２０４）により無線アダプタ４に送信され、これを受信した無線アダプタ制御部４０１は、この送信されたパラメータと記憶部４０４に記憶された各種判定値（上限値、下限値等）とを比較することで試運転の異常判定を行う。【００８９】
なお、上述の各種判定値（上限値、下限値等）は、室外機１の記憶部１０８又は室内機２の記憶部２０７に記憶しておき、空調機の制御部（室外機制御部１０６又は室内機制御部２０４）がＳ８０３の接続確認処理の過程で無線アダプタ４に送信し、無線アダプタ制御部４０１がこれを記憶部４０４に記憶するようにしても良い。また、モバイル端末５の記憶部５０６に記憶しておき、モバイル端末制御部５０１がＳ９０６の試運転開始要求に含めて無線アダプタ４に送信し、これを受けた無線アダプタ制御部４０１が無線アダプタ４の記憶部４０４に記憶するようにしてもよい。あるいは、管理サーバ９の記憶部９０５に記憶しておき、Ｓ９０２の試運転スケジュール生成処理の過程でモバイル端末５がこれを取得し、モバイル端末制御部５０１がＳ９０６の試運転開始要求信号に含めて無線アダプタ４に送信し、これを受けた無線アダプタ制御部４０１が記憶部４０４に記憶するようにしてもよい。【００９０】
無線アダプタ４は、試運転スケジュール情報に含まれる試運転終了予定時刻よりも早く試運転が終了したと認識した場合、試運転スケジュール情報を再設定する（Ｓ９１４）。すなわち、本実施例においては、試運転の異常判定を行う制御部（室外機制御部１０６又は室内機制御部２０４、管理サーバ制御部９０１、無線アダプタ制御部４０１、又はモバイル端末制御部５０１）は、判定対象の空調機の冷凍サイクルに関連する物理監視量が所定の条件となった場合に試運転が正常に完了したと判断し、モバイル端末制御部５０１はこの試運転の正常完了の信号を受信することで表示部５０４に当該空調機の試運転が正常に完了したことを表示させる。【００９１】
この場合において、試運転スケジュールを生成したモバイル端末制御部５０１又は管理サーバ制御部９０１は試運転の異常判定を行う制御部（室外機制御部１０６又は室内機制御部２０４、管理サーバ制御部９０１、無線アダプタ制御部４０１、又はモバイル端末制御部５０１）から試運転の正常完了の信号を受信することで、次に試運転を開始することになっていた空調機群、又は冷媒系統に属する空調機の試運転開始時刻を早めるように試運転スケジュールを変更する。またモバイル端末制御部５０１又は管理サーバ制御部９０１は、その次に試運転を開始することになっていた空調機群、又は冷媒系統に属する空調機についても同様に試運転開始時刻を早めるように試運転スケジュールを変更する。【００９２】
なお、試運転を行う空調機の異常判定を行う制御部（室外機制御部１０６又は室内機制御部２０４、管理サーバ制御部９０１、無線アダプタ制御部４０１、又はモバイル端末制御部５０１）により、判定対象の空調機の冷凍サイクルに関連する物理監視量が所定の条件となって試運転に異常が生じたと判断した場合において、モバイル端末５の操作部５０５に対して所定の操作がされることにより、モバイル端末制御部５０１は試運転異常の信号を受信することで当該空調機の試運転に異常が生じたしたことを表示するように表示部５０４を制御する。【００９３】
以上の空調システムによれば、試運転の開始をした後に、いずれかの制御部（室外機制御部１０６又は室内機制御部２０４、管理サーバ制御部９０１、無線アダプタ制御部４０１、又はモバイル端末制御部５０１）において、試運転の異常判定を自動的に行い、この結果をモバイル端末５を用いて確認可能となるため、高度なスキルを持たないサービス業者でも簡単に試運転を行えるようになる。また、予定よりも早く試運転が終了した場合、前倒しで次の試運転を行うことで、短時間で試運転を行うことができる。【００９４】
なお、これ以降は、再設定した試運転スケジュール情報に基づき、試運転スケジュールの対象となっている全ての空調機に対してＳ９０９〜Ｓ９１４の処理を繰り返す。【００９５】
図１０は、モバイル端末５を使用した試運転操作の内、試運転結果確認操作と試運転結果アップロード操作の処理フロー図を示す。また、図１２は、この時のモバイル端末の画面例を示す。【００９６】
モバイル端末５の使用者は、操作部５０５により記憶部５０６に記憶された空調機試運転アプリケーションを起動し、空調機の試運転結果取得操作を行うと（Ｓ１００１）、モバイル端末５のモバイル端末制御部５０１は、第一無線通信部５０２を介して無線アダプタ４に対して、試運転結果取得要求信号を送信する（Ｓ１００２）。試運転結果取得要求信号は、空調機一台の情報を要求するものでも良いし、複数台の空調機の情報をまとめて要求するものでも良い。無線アダプタ４の無線アダプタ制御部４０１は、第一無線通信部４０３を介して試運転結果取得要求信号を受信すると、モバイル端末５に対して、試運転結果取得応答信号を送信する（Ｓ１００３）。試運転結果取得応答信号は、Ｓ９１３にて記憶された試運転結果情報が含まれる。【００９７】
モバイル端末５のモバイル端末制御部５０１は、受信した試運転結果取得応答に含まれる空調機の試運転結果情報を表示するように表示部５０４を制御する（Ｓ１００４）。この時の画面例を図１２に示す。使用者はモバイル端末５の画面Ｂ−１において操作部５０５に対して結果一覧の取得操作を行うことで、モバイル端末制御部５０１は、一冷媒系統毎に空調機の試運転結果を一覧形式で表示するように表示部５０４を制御する。この場合においてモバイル端末制御部５０１は、各空調機の試運転が終了していればその結果、試運転が実行中または実行待ちの場合はその旨を表示するように表示部５０４を制御する。【００９８】
なお、ここでは冷媒系統毎に接続される空調機が縦に並んで表示され、タブ選択にて他の冷媒系統に表示を切り替えられるようになっている。試運転を行う空調機群毎に表示を切り替えるようにしても構わない。以上により、モバイル端末５の限られた表示部５０４のスペースを利用して使用者が簡単に全ての空調機の試運転結果を確認することができる。【００９９】
またモバイル端末５の空調機試運転アプリケーションにて、操作部５０５に対して空調機の試運転結果アップロード操作を行うと（Ｓ１００５）、この操作信号を受けたモバイル端末制御部５０１は、第二無線通信部５０３を介して管理サーバ９に対して、試運転結果信号を送信する（Ｓ１００６）。管理サーバ９はＬＡＮ通信部９０２を介してこれを受信し、管理サーバ制御部９０１は受信した試運転結果を記憶部９０５に記憶する（Ｓ１００７）。【０１００】
これにより、モバイル端末５を利用して簡単に全ての空調機の試運転結果を管理サーバ上に記憶することができる。管理サーバ９に試運転結果を記憶することで、他の機器からも当該情報を利用することができ、利便性が向上する。【０１０１】
なお、Ｓ１００３の試運転結果取得応答に、Ｓ９１３の試運転結果判定に使用した各種センサの計測値を含める方法も考えられる。この場合、Ｓ１００４の試運転結果表示にて、Ｓ９１３の試運転結果判定に使用した各種センサの計測値を表示する。また、Ｓ１００６の試運転結果アップロード時にＳ９１３の試運転結果判定に使用した各種センサの計測値を含め、Ｓ１００７にてこれを記憶する。これにより、モバイル端末５を利用して簡単に全ての空調機の詳細な試運転データを管理サーバ上に記憶することができる。管理サーバに詳細な試運転データを記憶することで、他の機器からも当該情報を利用することができ、利便性が向上する。【０１０２】
モバイル端末５の記憶部５０６に記憶された空調機試運転アプリケーションにて、空調機の試運転結果出力操作を行うと（Ｓ１００８）、モバイル端末５は、プリンタ１１に対して、試運転結果出力要求を送信する（Ｓ１００９）。試運転結果出力要求は、出力したい画面データを含む。プリンタ１１は、試運転結果を出力（プリントアウト）する（Ｓ１０１０）。これにより、モバイル端末５を利用して簡単に試運転結果をプリンタに出力することができる。
【実施例２】
【０１０３】
本実施例では、空調機の試運転システムにおいて、接続確認結果を自動的にユーザに通知する方法、及び、初期値設定を事前に作成したデータに基づき自動的に行う方法について説明する。なお、実施例１と同じ内容は省略する。全体システム構成、及び、各構成要素の機能ブロックは実施例１と同じであり、図８の処理フローのみが異なる。本実施例の処理フローを図１６に示す。【０１０４】
まず、管理サーバ９の記憶部９０５に、事前接続情報を保持させておく（Ｓ８２１）。事前接続情報は、図１３に示す接続確認情報の空調機情報と同様のデータ構造をとる。例えば、各空調機に割り当てたシーケンス番号、冷媒系統、アドレス、型式、各種状態、各種設定値、配管長、配管高低差（配管の出入口の高低差）を含む。事前接続情報の作成は、管理サーバ９の操作部９０４を使用することで、この操作信号が管理サーバ制御部９０１に受け付けられ、記憶部９０５に記憶されても良いし、ネットワークを介して、モバイル端末５や情報端末１０を操作することで、この操作信号がそれぞれの制御部により管理サーバ９に送られることで行われても良い。【０１０５】
モバイル端末５の記憶部５０６に記憶された空調機試運転アプリケーションにて、操作部５０５に対して空調機の事前接続情報ダウンロード操作を行うと（Ｓ８２２）、この操作信号を受けたモバイル端末５のモバイル端末制御部５０１は、管理サーバ９に対して、事前接続情報ダウンロード要求信号を送信する（Ｓ８２３）。ＬＡＮ通信部９０２を介してこの信号を受けた管理サーバ制御部９０１は、モバイル端末５に対して、事前接続情報信号を送信する（Ｓ８２４）。この信号を受信したモバイル端末制御部５０１は、事前接続情報を記憶部５０６に記憶する（Ｓ８２５）。【０１０６】
その後は、図８のＳ８０１からＳ８０８の処理を行い、接続確認が終了すると、モバイル端末５のモバイル端末制御部５０１は記憶した事前接続情報と、空調機の現在状態とを照合し、接続確認結果を表示するように表示部５０４を制御する（Ｓ８２６）。例えば、事前接続情報において、ある冷媒系統及びアドレスに対して型式が対応付けられているが、接続確認後の空調機状態としては、当該冷媒系統及びアドレスに空調機が接続されていなかったり、事前接続情報にある型式とは異なる空調機が接続されていたりした場合、モバイル端末制御部５０１は、接続確認結果が異常であることを表示するように表示部５０４を制御する。その際、モバイル端末制御部５０１は、異常であること、異常のあった冷媒系統及びアドレス、本来接続されるべき空調機の型式（事前接続情報に含まれる情報）、実際に接続が検出された空調機の型式を表示するように表示部５０４を制御する。【０１０７】
なお、異常を検出した場合には、異常原因を取り除き、再度接続確認を行う。【０１０８】
接続確認が全て正常に完了した場合、前記事前接続情報の各種設定値を自動設定する処理を起動する（Ｓ８２７）。実際に初期値を設定する処理は図８のＳ８１３からＳ８１７と同様である。【０１０９】
以上により、モバイル端末５を利用して簡単に接続確認結果を確認することができ、また、簡単に各空調機の初期値を行うことができる。
【実施例３】
【０１１０】
本実施例では、空調機試運転システムにおいて、無線アダプタ４でなく、モバイル端末５において試運転スケジュール制御を実行する具体的な方法について説明する。なお、実施例１と同じ内容は省略する。全体システム構成、及び、各構成要素の機能ブロックは実施例１と同じであり、図９の処理フローのみが異なる。本実施例の処理フローを図１７に示す。【０１１１】
まず、図９と同様にＳ９０１からＳ９０４の処理が行われた後、使用者が操作部５０５に対して空調機の試運転開始操作を行うと（Ｓ９０５）、試運転スケジュールで設定された試運転開始時刻に到達するとモバイル端末制御部５０１は、無線アダプタ４に対して第一無線通信部５０２を介して、制御要求信号を送信する（Ｓ９２１）。制御要求信号には、試運転スケジュール情報に含まれる試運転モードで動作する旨と、試運転用の特定の能力で動作する旨の内容が含まれる。無線アダプタ制御部４０１は第一無線通信部４０３を介して試運転開始要求信号を受信すると、モバイル端末５に対して制御応答信号を送信する（Ｓ９２２）。また、無線アダプタ４は、空調機との間で、図９のＳ９０９からＳ９１２の処理を行う。【０１１２】
モバイル端末５のモバイル端末制御部５０１は、その後、空調機の試運転が完了したかを確認するために、無線アダプタ４に対して第一無線通信部５０２を介して定期的に現在状態取得要求を送信する（Ｓ９２３）。第一無線通信部４０３を介して現在状態取得要求を受信した無線アダプタ４の無線アダプタ制御部４０１は、モバイル端末５に対して現在状態取得応答信号を送信する（Ｓ９２４）。なお、このＳ９２３、Ｓ９２４の処理は、図８のＳ８０６、Ｓ８０７の処理と同様である。【０１１３】
モバイル端末制御部５０１は、第一無線通信部５０２を介して現在状態取得応答信号を受信すると、その内容を確認し、試運転が終了したかを判定し、その結果を記憶部５０６に記憶する（Ｓ９２５）。Ｓ９２５の処理は、図９のＳ９１３の処理と同様である。なお、異常判定方法は実施例１と同様であり、実施例１の各種判定値（上限値、下限値等）を、あらかじめモバイル端末５の記憶部５０６に記憶しておき、上記パラメータが空調機の制御部（室外機制御部１０６又は室内機制御部２０４）から無線アダプタ４を介してモバイル端末５に送信され、これを受信したモバイル端末制御部５０１は、この送信されたパラメータと記憶部５０６に記憶された各種判定値（上限値、下限値等）とを比較することで試運転の異常判定を行う。【０１１４】
モバイル端末制御部５０１は、試運転スケジュール情報に含まれる試運転終了予定時刻よりも早く試運転が終了したと認識した場合、試運転スケジュール情報を再設定する（Ｓ９２６）。Ｓ９２６の処理は、図９のＳ９１４の処理と同様なので詳細な説明は省略する。【０１１５】
以上により、予定よりも早く試運転が終了した場合、前倒しで次の試運転を行うことで、短時間で試運転を行うことができる。また、ここではモバイル端末５が試運転結果の判定を行うとしているが、空調機の現在状態の全てまたは一部をモバイル端末５から管理サーバ９に転送し、管理サーバ９にて試運転結果の判定を行い、試運転結果を管理サーバ９からモバイル端末５に転送しても良い。【０１１６】
また、試運転スケジュール更新処理も管理サーバ９にて行い、試運転スケジュール情報をモバイル端末５に転送しても良い。【０１１７】
これにより、モバイル端末５が安価で処理能力の低い場合でも、短時間で試運転結果判定や試運転スケジュールの再構築を行うことができる。
【符号の説明】
【０１１８】
１…室外機、２…室内機、３…集中制御機器、４…無線アダプタ、５…モバイル端末、６…空調機通信用伝送線、７…広域無線通信基地局、８…インターネット、９…管理サーバ、１０…情報端末、１１…プリンタ、１２…リモコン、１０１…圧縮機、１０２…四方弁、１０３…室外熱交換器、１０４…室外送風機、１０５…室外膨張弁、２０１…室内熱交換器、２０２…室内送風機、２０３…室内膨張弁、３１…ガス配管、３２…液配管、４１…外気温度センサ、４２…圧縮機吐出ガス配管温度センサ、４３…熱交換器配管温度センサ、４４…吸込温度センサ、４５…吹出温度センサ、４６冷媒ガス配管温度センサ、４７…冷媒液配管温度センサ、４８…リモコン温度センサ、５１…高圧圧力センサ、５２…低圧圧力センサ。
【図１】
2015111203.tif 000003
【図２】
2015111203.tif 000004
【図３】
2015111203.tif 000005
【図４】
2015111203.tif 000006
【図５】
2015111203.tif 000007
【図６】
2015111203.tif 000008
【図７】
2015111203.tif 000009
【図８】
2015111203.tif 000010
【図９】
2015111203.tif 000011
【図１０】
2015111203.tif 000012
【図１１】
2015111203.tif 000013
【図１２】
2015111203.tif 000014
【図１３】
2015111203.tif 000015
【図１４】
2015111203.tif 000016
【図１５】
2015111203.tif 000017
【図１６】
2015111203.tif 000018
【図１７】
2015111203.tif 000019
【国際調査報告】
2015111203.tif 000020
2015111203.tif 000021
2015111203.tif 000022
2015111203.tif 000023